(57)【要約】【課題】  ファスナーを回転させて靴紐を効率よく且つ強固に結ぶことができ、靴紐を自由に伸縮させることのできる靴紐締結装置を提供する。【解決手段】  すなわち、本発明は、靴紐締結装置であって、ベースと、円柱状に形成され、円周方向に設けられる環状凹溝を有し、上端面に円周方向に第１の接合ギアが分布され、前記環状凹溝内に紐固定器具が設けられたクラッチボビンと、クラッチボビンの外周に同軸に覆設され、ベースと固定連結され、クラッチボビンの軸方向の動きを制限し、円周には半径方向に貫通する二つの紐嵌入孔が設けられた軸スリーブと、下端面には円周方向に第２の接合ギヤが分布されたクラッチアッパーカバーと、クラッチアッパーカバーを押下する場合、第２の接合ギヤが前記第１の接合ギヤとの噛合状態を維持することになり、クラッチアッパーカバーを持ち上げる場合、第２の接合ギヤが前記第１の接合ギヤとの噛合状態から外れることになるクリッピング位置制限器具と、を備えることを特徴とする。【選択図】図１
2020110554.tif 000002
【特許請求の範囲】
【請求項１】
靴紐締結装置であって、
ベースと、
円柱状に形成され、円周方向に設けられる環状凹溝を有し、上端面に円周方向に第１の接合ギアが分布され、前記環状凹溝内に紐固定器具が設けられたクラッチボビンと、
クラッチボビンの外周に同軸に覆設され、ベースと固定連結され、クラッチボビンの軸方向の動きを制限し、円周には半径方向に貫通する二つの紐嵌入孔が設けられた軸スリーブと、
下端面には円周方向に第２の接合ギヤが分布されたクラッチアッパーカバーと、
クラッチアッパーカバーを押下する場合、第２の接合ギヤが前記第１の接合ギヤとの噛合状態を維持することになり、クラッチアッパーカバーを持ち上げる場合、第２の接合ギヤが前記第１の接合ギヤとの噛合状態から外れることになるクリッピング位置制限器具と、を備えることを特徴とする靴紐締結装置。
【請求項２】
バックル、接着、ボルト連結、リベッティング、ボンディングのうちのいずれか一つの方式により前記クラッチアッパーカバーの上に固定されるアッパーカバーをさらに備えることを特徴とする請求項１に記載の靴紐締結装置。
【請求項３】
紐固定器具は、前記環状凹溝内に設けられる二対の紐固定孔を有し、
各対の紐固定孔は、いずれも軸方向に並ぶように設けられる通り穴と止まり穴（ｂｌｉｎｄ  ｈｏｌｅ）を有し、各紐嵌入孔と通り穴は、軸線方向において同じ高さを有することを特徴とする請求項１に記載の靴紐締結装置。
【請求項４】
クリッピング位置制限器具は、
クラッチアッパーカバーの中心から下方に向かって延びたクリッピング柱と、
前記クラッチボビンの中心に設けられる位置制限爪と、を備え、
前記クリッピング柱の下部に位置制限環が設けられ、前記位置制限爪の内径は位置制限環の外径よりも小さく、
前記位置制限環は、第２の接合ギヤと第１の接合ギヤが接合され、接合状態を維持するように下方に位置制限爪を通過し、
前記位置制限環は、第２の接合ギヤと第１の接合ギヤが接合状態から外れるように上方に位置制限爪を通過することを特徴とする請求項１に記載の靴紐締結装置。
【請求項５】
二対の紐固定孔は、クラッチボビンの軸線に対して対称となるように設けられ、二対の紐固定孔の通り穴と止まり穴は互い違いに配置され、止まり穴の開口方向は互いに反対となることを特徴とする請求項３に記載の靴紐締結装置。
【請求項６】
前記クラッチアッパーカバーの内側の円周にはラチェットギヤが設けられ、前記軸スリーブの上端面には前記ラチェットギヤと噛み合う歯止め（ｐａｗｌ）が設けられたことを特徴とする請求項１に記載の靴紐締結装置。
【請求項７】
アッパーカバーの外側には、ゴムスリーブまたは滑り止め模様が設けられたことを特徴とする請求項２に記載の靴紐締結装置。
【請求項８】
前記通り穴及び止まり穴は、直径が靴紐の直径に等しいことを特徴とする請求項３または請求項５に記載の靴紐締結装置。
【請求項９】
靴紐締結装置には、紐嵌入孔と通り穴を位置合わせするように指示するための識別部が設けられたことを特徴とする請求項１に記載の靴紐締結装置。
【発明の詳細な説明】
【技術分野】
【０００１】
本発明は、靴紐締結装置に係り、さらに詳しくは、使用時にファスナーを回転させて靴紐を効率よく且つ強固に結ぶことができ、靴紐を自由に伸縮させることのできる靴紐締結装置に関する。
【背景技術】
【０００２】
現在、ほとんどの履物は靴紐を有しており、これらの靴紐は繰り返し締めたり緩めたりしなければならないため、使い勝手が非常に悪く、特に、一部の活動過程において靴紐がほぐれ易いが、再び靴紐を結ぶことが非常に不便であり、靴紐が長過ぎる場合には、靴紐を踏んでしまって事故が招かれる恐れがある。したがって、靴紐を手軽に締結するための適切な方法が求められるのが現状である。
【０００３】
関連する先行技術としては、韓国登録特許第１０−０７１５４４１号公報の「ワイヤ締め具を備えた履物」が挙げられるが、同文献によれば、外皮と内皮とからなり、前方の中央には開口部が形成されたメイン甲皮、このメイン甲皮の下側に結合される靴の底、前記開口部に結合されて足の甲を覆う足の甲保護甲皮、前記開口部及びメイン甲皮の両側面と後方を取り囲むように延びるワイヤ、前記メイン甲皮または足の甲保護甲皮に結合されてワイヤを締め付けるワイヤ締め具を備える技術を開示している。
【０００４】
また、韓国登録実用新案第２０−０４６４６２３号公報の「靴紐結束装置」によれば、基板、回転蓋体、連動板、位置制限部品と旋板を備え、回転蓋体、連動板と旋板は回転可能な形状で基板に設けられ、回転蓋体に向かって回転するときに旋板が回転し靴紐が巻き取られ、履物が締め付けられた状態となり、位置制限部品は旋板が自動的に回転することを防ぎ、回転蓋体が反対に回転すれば、連動板と旋板が位置合わせされないため位置制限部品が制限を受けて靴紐が引っ張られ続け旋板が逆方向に回転して靴紐が解けるようにした技術を開示している。
【先行技術文献】
【特許文献】
【０００５】
【特許文献１】韓国登録特許第１０−０７１５４４１号公報
【特許文献２】韓国登録実用新案第２０−０４６４６２３号公報
【発明の概要】
【発明が解決しようとする課題】
【０００６】
本発明は、上述した従来の技術の諸問題を解決するために新たな技術を創案したものであり、靴紐締結装置のアッパーカバーを押し、ファスナーを回転させるだけで、靴紐を効率よく且つ強固に結ぶことができ、アッパーカバーを持ち上げると、靴紐を緩めることができるようにして靴紐を手軽に締結することのできる靴紐締結装置を提供することを発明において解決しようとする課題とする。
【０００７】
また、装置の内部において歯止め（ｐａｗｌ）とラチェットギヤが噛み合う構造を通して靴紐が緩むことを防いだ靴紐締結装置を提供することを発明において解決しようとする課題とする。
【課題を解決するための手段】
【０００８】
上述した発明の課題を解決するための具体的な手段として、本発明においては、靴紐締結装置を構成するが、ベースと、円柱状に形成され、円周方向に設けられる環状凹溝を有し、上端面に円周方向に第１の接合ギアが分布され、前記環状凹溝内に紐固定器具が設けられたクラッチボビンと、クラッチボビンの外周に同軸に覆設され、ベースと固定連結され、クラッチボビンの軸方向の動きを制限し、円周には半径方向に貫通する二つの紐嵌入孔が設けられた軸スリーブと、下端面には円周方向に第２の接合ギヤが分布されたクラッチアッパーカバーと、クラッチアッパーカバーを押下する場合、第２の接合ギヤが前記第１の接合ギヤとの噛合状態を維持することになり、クラッチアッパーカバーを持ち上げる場合、第２の接合ギヤが前記第１の接合ギヤとの噛合状態から外れることになるクリッピング位置制限器具と、を備えることを特徴とする靴紐締結装置を提供する。
【０００９】
好ましくは、固定器具は、前記環状凹溝内に設けられる二対の紐固定孔を有し、ここで、各対の紐固定孔は、いずれも軸方向に並ぶように設けられる通り穴と止まり穴を有し、各紐嵌入孔と通り穴は、軸線方向において同じ高さを有する。
【００１０】
また、クリッピング位置制限器具は、クラッチアッパーカバーの中心から下方に向かって延びたクリッピング柱と、前記クラッチボビンの中心に設けられる位置制限爪と、を備え、前記クリッピング柱の下部に位置制限環が設けられ、前記位置制限爪の内径は位置制限環の外径よりも小さく、前記位置制限環は、第２の接合ギヤと第１の接合ギヤが接合され、接合状態を維持するように下方に位置制限爪を通過し、前記位置制限環は、第２の接合ギヤと第１の接合ギヤが接合状態から外れるように上方に位置制限爪を通過する。
【００１１】
好ましくは、二対の紐固定孔は、クラッチボビンの軸線に対して対称となるように設けられ、二対の紐固定孔の通り穴と止まり穴は互い違いに配置され、止まり穴の開口方向は互いに反対となる。
【００１２】
好ましくは、前記クラッチアッパーカバーの内側の円周にはラチェットギヤが設けられ、前記軸スリーブの上端面には前記ラチェットギヤと噛み合う歯止め（ｐａｗｌ）が設けられたことを特徴とする。
【発明の効果】
【００１３】
上述した課題を解決するための具体的な手段によれば、使用時にアッパーカバーを押し、ファスナーを回転させるだけで、靴紐を効率よく且つ強固に結ぶことができ、アッパーカバーを持ち上げると、靴紐を緩めることができて、誰でも手軽に靴紐を自由に伸縮させることができる。
【００１４】
本発明の靴紐締結装置は、その構造が簡単であり、しかも、加工しやすい。
【００１５】
また、靴紐の端部を効果的に締結することができ、ラッチを設けることで、靴紐が緩むことを防ぐことができる。
【００１６】
アッパーカバーの上にゴムスリーブまたは滑り止め模様を設けることにより、滑り止めを行うことができ、ベースの下部はＴＰＲプラスチック材質を用いることにより、様々な履物に適用できるなど、その期待される効果が多大な発明である。
【図面の簡単な説明】
【００１７】
【図１】本発明の実施形態に係る靴紐締結装置を示す斜視図である。
【図２】本発明の実施形態に係るベースを示す斜視図である。
【図３】本発明の実施形態に係るクラッチボビンを示す斜視図である。
【図４】本発明の実施形態に係る紐固定器具を示す平面図である。
【図５】本発明の実施形態に係る軸スリーブを示す斜視図である。
【図６】本発明の実施形態に係るクラッチアッパーカバーを示す斜視図である。
【図７】クラッチアッパーカバーとクラッチボビンの結合状態を示す斜視断面図である。
【発明を実施するための形態】
【００１８】
以下、添付図面に基づいて、本発明に係る靴紐締結装置の実施形態について説明する。本技術分野における通常の技術者は、本発明の精神と範囲を逸脱しない場合、説明された実施形態を様々な方式または組み合わせで修正することができるということが理解できる筈である。よって、添付図面及び説明は、本質的に説明的なものであるが、請求範囲に定義された範囲を限定するためのものではない。これに加えて、本明細書において図面を比率に沿って示したものではなく、図中、同じ符合は、同じ部分を指し示す。
【００１９】
図１に示すように、靴紐締結装置は、ベース１０、アッパーカバー２０、ベース１０とアッパーカバー２０との間に位置するクラッチボビン３０、軸スリーブ４０、クラッチアッパーカバー５０、紐固定器具、クリッピング位置制限器具を備える。ここで、ベース１０は、クラッチボビン３０、軸スリーブ４０、クラッチアッパーカバー５０を取り付けるためのチャンバー１０１を備える。図２に示すように、クラッチボビン３０は、円柱状に形成され、天板３０３、底板３０４、天板３０３と底板３０４との間に位置し、円周方向に設けられる環状凹溝３０２を備え、天板３０３の上端面には、円周方向に多数の第１の接合ギヤ３０１が分布されている。
【００２０】
クラッチアッパーカバー５０の下端面には、第２の接合ギヤ５０３が設けられるが、前記第２の接合ギヤ５０３は、前記クラッチボビン３０上の第１の接合ギヤ３０１と噛み合って前記クラッチボビンの回転を駆動してもよい。また、前記クラッチアッパーカバー５０は、軸方向に移動し、且つ、位置決めされてもよく、具体的に、前記クリッピング位置制限器具は、クラッチアッパーカバーを押下する場合、第２の接合ギヤ５０３と第１の接合ギヤ３０１が噛合状態を維持することになり、クラッチアッパーカバーを持ち上げる場合、第２の接合ギヤ５０３と第１の接合ギヤ３０１が噛合状態から外れることになり、これにより、クラッチボビン３０が自由に回転することができる。
【００２１】
軸スリーブ４０は、ベース１０と固定連結され、クリッピングと同じ方式によって連結されてもよい。図５に示すように、軸スリーブ４０の円周には、半径方向に軸スリーブ４０を貫通する二つの紐嵌入孔４０２が設けられる。軸スリーブ４０は、クラッチボビン３０の外周に同軸に覆設され、クラッチボビン３０の軸方向の動きを制限する。靴紐は、紐嵌入孔４０２からクラッチボビン３０の環状凹溝３０２内まで嵌入し、前記クラッチボビン３０の環状凹溝３０２内には、紐嵌入孔４０２から嵌入した靴紐の端部を環状凹溝３０２内に固定するための紐固定器具が設けられる。
【００２２】
前記アッパーカバー２０は、前記クラッチアッパーカバー５０の上に固定され、バックル連結などの方式によって取り付けられてもよい。しかしながら、バックル連結に制限されず、接着、ボルト連結、リベッティング、ボンディングなど頻繁に使用する締結方式を用いてもよい。
【００２３】
以下、前記靴紐締結装置の使用方法について簡単に説明する。ベース１０によって前記靴紐締結装置を履物の上に取り付けた後、靴紐を靴紐孔に嵌入した後、靴紐の一端を一つの紐嵌入孔４０２に嵌入した後、靴紐の他端をもう一つの紐嵌入孔４０２に嵌入し、紐固定器具を介してクラッチボビン３０の環状凹溝３０２内に固定する。アッパーカバー２０を押下すると、前記クラッチアッパーカバー５０は第２の接合ギヤ５０３と第１の接合ギヤ３０１が接合されるまで下方向に移動することになり、クリッピング位置制限器具は、第２の接合ギヤ５０３と第１の接合ギヤ３０１が接合状態を維持することになる。アッパーカバー２０を回転させると、靴紐の端部が固定されるため、靴紐がクラッチボビン３０の環状凹溝３０２内に巻き込まれるようにすることができ、アッパーカバー２０を回転させると、靴紐を締結することができる。アッパーカバー２０を持ち上げると、クラッチアッパーカバー５０は、第２の接合ギヤ５０３と第１の接合ギヤ３０１が分離されるまで上方向に移動するようにし、クリッピング位置制限器具によって、第２の接合ギヤ５０３と第１の接合ギヤ３０１は分離状態に維持される。このとき、クラッチボビン３０は、自由に回転可能である。この場合には、靴紐を外側に引っ張ると、靴紐を解き出すことができる。
【００２４】
採用可能な一実施形態において、前記クラッチアッパーカバー５０の内側の円周には、ラチェットギヤ（図示せず）が設けられ、前記軸スリーブ４０の上端面には、歯止め（ｐａｗｌ）４０１が設けられ、前記歯止め４０１と前記ラチェットギヤとの噛み合いによってクラッチアッパーカバー５０は一方向にのみ回転可能である。これにより、靴紐の締結過程においてクラッチボビン３０の反対方向に回転して靴紐が完璧に締結できなくなることを防ぐ。
【００２５】
図４及び図５に示すように、紐固定器具は、二対の紐固定孔を備える。ここで、各対の紐固定孔は、いずれも通り穴３０２１と止まり穴（ｂｌｉｎｄ  ｈｏｌｅ）３０２２を備える。また、紐嵌入孔４０２は、通り穴３０２１と正確に位置合わせされる。ここで、紐嵌入孔４０２と通り穴３０２１を正確に位置合わせするために、紐嵌入孔と通り穴を位置合わせするように指示するための識別部が靴紐締結装置の上に設けられてもよい。靴紐がクラッチボビン３０上の通り穴３０２１に入り込んでいて、通り穴３０２１の他端から引き出された後に再度折り返されて、止まり穴３０２２内に嵌入する。クラッチボビン３０の回転過程において、靴紐が通り穴３０２１と止まり穴３０２２との間に引っ掛かるため、靴紐が後ろに引っ張らなくなる。
【００２６】
好ましくは、図４に示すように、二対の紐嵌入孔は、クラッチボビンの軸線に対して対称となるように設けられ、二対の紐嵌入孔の通り穴と止まり穴は互い違いに配置され、止まり穴の開口方向が互いに反対になることにより、靴紐の両側の端部がクラッチボビン３０において分離されて巻かれる。
【００２７】
採用可能な一実施形態において、アッパーカバー２０の外側には、ゴムスリーブが覆設されるか、あるいは、アッパーカバー２０の外側には、滑り止め模様が設けられる。
【００２８】
採用可能な一実施形態において、図６及び図７に示すように、クラッチアッパーカバー５０の中心には、クリッピング柱５０１が下方に延びるように形成され、前記クリッピング柱５０１の下部には、位置制限環５０５が設けられ、前記クラッチボビン３０の中心には、位置制限爪３０５が設けられる。前記位置制限爪３０５は、内径が位置制限環５０５の外径よりも小さい。前記クラッチアッパーカバー５０を押下する場合、位置制限環５０５が下向きに位置制限爪を通過することになり、このとき、第２の接合ギヤ５０３が第１の接合ギヤ３０１と接合され、位置制限爪３０５の作用によって接合状態が維持される。クラッチアッパーカバー５０を持ち上げる場合、クリッピング柱５０１または位置制限環５０５が弾性収縮変形しながら位置制限環５０５が位置制限爪を通過するようにし、このとき、第２の接合ギヤ５０３が第１の接合ギヤ３０１との接合から解放されることになる。
【００２９】
一方、靴紐の締結効果を向上させるために、前記通り穴３０２１及び止まり穴３０２２の間には、摩擦模様が形成されてもよい。
【００３０】
また、採用可能な一実施形態において、前記通り穴３０２１及び止まり穴３０２２は、直径が靴紐の直径に等しく構成し、前記ベース１０の下部は、ＴＰＲプラスチック材質から形成されることにより、様々な履物の表面に適用可能である。
【００３１】
以上のように、本発明の詳細な説明の欄においては、本発明の最適な実施形態について説明したが、本発明の技術範囲から逸脱しない範囲内においては、種々の変形実施も可能であるといえる。よって、本発明の保護範囲は、前記実施形態に限定して定められるわけではなく、後述する特許請求の範囲の技術及びこれらの技術から均等な技術手段にまで保護範囲が認められるべきである。
【符号の説明】
【００３２】
１０  ベース            
１０１  チャンバー      
２０  アッパーカバー    
３０  クラッチボビン    
３０１  第１の接合ギヤ  
３０２  環状凹溝    
３０３  天板        
３０４  底板
３０５  位置制限爪
３０２１  通り穴        
３０２２  止まり穴
４０  軸スリーブ        
４０１  歯止め          
４０２  紐嵌入孔
５０  クラッチアッパーカバー                    
５０１  クリッピング柱  
５０３  第２の接合ギヤ  
５０５  位置制限環
【図１】
2020110554.tif 000003
【図２】
2020110554.tif 000004
【図３】
2020110554.tif 000005
【図４】
2020110554.tif 000006
【図５】
2020110554.tif 000007
【図６】
2020110554.tif 000008
【図７】
2020110554.tif 000009